(57)【要約】【課題】上下の放熱ばらつきを最小化してアンテナの性能を向上させることができるアンテナ装置の放熱機構を提供する。【解決手段】アンテナ装置の放熱機構は、電気的な作動時に所定の熱を生成する多数の通信素子と、一面に前記多数の通信素子が収容され、他面に多数の放熱リブが一体に形成された放熱兼用ケースと、前記放熱兼用ケースの一面に前記多数の通信素子が実装されるアンテナボードとを含み、前記多数の放熱リブは、相対的に前記放熱兼用ケースの下部から放熱されて形成された上昇気流が相対的に上部で前記放熱兼用ケースの幅方向左右外側に上向きに傾斜して排気されるように形成されることによって、アンテナ装置の放熱性能を向上させるメリットを提供する。【代表図】図２
2021525046.tif 000002
【特許請求の範囲】
【請求項１】
電気的な作動時に所定の熱を生成する多数の通信素子と、
一面に前記多数の通信素子が収容され、他面に多数の放熱リブが一体に形成され、上下の長さ方向に長く形成された放熱兼用ケースと、
前記放熱兼用ケースの一面に前記多数の通信素子が実装されるアンテナボードとを含み、
前記多数の放熱リブは、
相対的に前記放熱兼用ケースの下部から放熱されて形成された上昇気流が相対的に上部で前記放熱兼用ケースの幅方向左右外側に上向きに傾斜して排気されるように形成された、
アンテナ装置の放熱機構。
【請求項２】
前記多数の放熱リブは、
前記放熱兼用ケースの幅方向の一側と幅方向の他側とにそれぞれ空き空間が形成されるように、上下方向に所定の距離離隔されるように多段に配置された多数の押出放熱リブと、
ダイキャスティング工法で製作され、前記多数の押出放熱リブの間の前記空き空間に結合され、真中を中心にそれぞれ前記放熱兼用ケースの幅方向左右外側に上向きに傾斜して配置された多数の傾斜リブを有する多数のキャスティング放熱リブとを含む、
請求項１に記載のアンテナ装置の放熱機構。
【請求項３】
前記多数の放熱リブのうち、前記多数の押出放熱リブは、前記放熱兼用ケースの幅方向に第１離隔距離を有するように離隔配置され、
前記多数のキャスティング放熱リブは、それぞれの下段が前記多数の押出放熱リブの各先端に連結される第２離隔距離を有するように離隔配置された、
請求項２に記載のアンテナ装置の放熱機構。
【請求項４】
前記多数の放熱リブのうち、前記多数のキャスティング放熱リブは、それぞれの上段が前記放熱兼用ケースの幅方向の一端及び他端にマッチングされるように延長形成された、
請求項３に記載のアンテナ装置の放熱機構。
【請求項５】
前記多数のキャスティング放熱リブのうち少なくとも一つは、上部に配置された前記多数の押出放熱リブの各リブの下段を連結するように配置された、
請求項４に記載のアンテナ装置の放熱機構。
【請求項６】
前記多数の押出放熱リブの間に形成された前記空き空間は、三角形の形状に形成された、
請求項２に記載のアンテナ装置の放熱機構。
【請求項７】
前記多数のキャスティング放熱リブは、
前記放熱兼用ケースの幅方向の一側に前記三角形の形状に形成された一側の空き空間に満たされる第１リブ群と、
前記放熱兼用ケースの幅方向の他側に前記三角形の形状に形成された他側の空き空間に満たされる第２リブ群とを含み、
前記第１リブ群と前記第２リブ群とは一体にダイキャスティング成形された、
請求項６に記載のアンテナ装置の放熱機構。
【請求項８】
前記多数の押出放熱リブの各リブが形成する下段の形状は、「Ｖ」字状に備えられ、
前記多数のキャスティング放熱リブのうち最上段に配置された２つのリブは、前記多数の押出放熱リブの各下段を連結するように「Ｖ」字状に備えられた、
請求項２に記載のアンテナ装置の放熱機構。
【発明の詳細な説明】
【技術分野】
【０００１】
本発明は、アンテナ装置の放熱機構（HEAT-RADIATING MECHANISM FOR ANTENNA DEVICE）に関するものであって、より詳細には、上下に長く形成された放熱兼用ケースの下段部で形成された上昇気流の影響が最小化して均一な放熱性能を実現することができるアンテナ装置の放熱機構に関するものである。
【背景技術】
【０００２】
分散アンテナシステム（ｄｉｓｔｒｉｂｕｔｅｄ  ａｎｔｅｎｎａ  ｓｙｓｔｅｍ）は、基地局とユーザー端末との間の通信を中継する中継システムの一例であって、インドア（ｉｎｄｏｏｒ）やアウトドア（ｏｕｔｄｏｏｒ）で必然的に生じる陰影地域まで移動通信サービスを提供することができるように基地局のサービスカバレッジ拡張の面で活用されている。
【０００３】
分散アンテナシステムは、ダウンリンク経路を基準に、基地局から基地局信号の伝送を受け、増幅などの信号処理を行った後、信号処理された基地局信号をサービス領域内のユーザー端末に伝送し、アップリンク経路を基準にサービス領域内のユーザー端末から伝送された端末信号を増幅などの信号処理後に、これを基地局に伝送する役割をするが、このような分散アンテナシステムの中継の役割を実現するためには、基地局と分散アンテナシステムとの間に送受信される信号の整合、例えば、信号のパワー調整などが必須であり、そのために基地局信号整合装置が用いられてきた。
【０００４】
このような基地局信号整合装置は、ダウンリンク経路で高いパワーレベルを有する基地局信号を分散アンテナシステムに求められる適正のパワーレベルに調整するが、このとき、相当量の熱が発生することによって、基地局信号整合装置が破損して寿命が短縮する問題があり、発生される熱を効率的に放出させることができる方案が求められる。
【０００５】
図１は、従来技術に係るアンテナ装置の一例を示した正面図及び背面図である。
【０００６】
従来技術に係るアンテナ装置の一例（１）は、図１に参照されているように、アンテナ素子（未図示）、ＦＰＧＡ（１３）及びＲＦＩＣ（１４）を含む多数の通信素子（１２）が内部に備えられ（図面には図示していないが、レドームなどのようなカバー部材によって、多数の通信素子は、外部と遮蔽される）、未図示のアンテナ取付支柱に取り付け固定されるように備えられたケースホディ（１０）を含む。
【０００７】
最近、多数のアンテナ素子を用いてデータ伝送容量を大幅に増やす技術として、送信機ではそれぞれの送信アンテナを通じて互いに異なるデータを伝送し、受信機では適切な信号処理を通じて送信データを区分するＳｐａｔｉａｌ  ｍｕｌｔｉｐｌｅｘｉｎｇ技法が採用されたＭＩＭＯ（Ｍｕｌｔｉｐｌｅ  Ｉｎｐｕｔ  Ｍｕｌｔｉｐｌｅ  Ｏｕｔｐｕｔ）技術が発達するに伴い、一つのケースボディ（１０）の内部に多数の通信素子（１２）が配列される一方で、多数のユーザー端末機に対する信号性能を向上させるように、前記ケースホディ（１０）は、アンテナ素子が取り付けられた面が略下向きに傾斜するように上下に長く形成される。
【０００８】
図１に示された従来技術に係るアンテナ装置が上下に長く設計された形態のケースホディ（１０）が採用された一例であって、このような上下の長さ方向のスリム型ケースボディ（１０）は、多数のアンテナ素子を含む通信素子（１２）から発生する熱を効果的に放熱するように背面に上下に長く配置された多数の放熱リブ（２０）が一体に形成される。
【０００９】
しかし、従来技術に係るアンテナ装置の一例（１）は、前記多数の放熱リブ（２０）が上下方向に長く形成されたため、下側に備えられた通信素子（１３、１４）から生成された熱を下側に備えられた多数の放熱リブ（２０）を通じて放熱するようになると、外気と熱交換して昇温されつつ、その上側の放熱リブ（２０）に沿って上昇気流を形成するようになり、このような上昇気流は、多数の放熱リブ（２０）のうち、特に上側に備えられた放熱リブ（２０）の放熱特性に影響を及ぼすので、多数の放熱リブ（２０）の上下の放熱ばらつきが激しく生じ得る。このような多数の放熱リブ（２０）の高さによる上下の放熱ばらつきは、結局、通信性能の不均一をもたらし、通信不良を起こす問題に繋がり得る。従来技術に係るアンテナ装置の一例（１）の具体的な放熱ばらつきに関する実験データは、本発明の実施例の説明のために提供された図７を参照すると、より明確に理解することができる。
【発明の概要】
【発明が解決しようとする課題】
【００１０】
本発明は、前記した技術的課題を解決するために案出されたものであって、上下の長さ方向のスリム型ケースボディを備えたアンテナ装置において、上下の放熱ばらつきを最小化してアンテナの性能を向上させることができるアンテナ装置の放熱機構を提供することをその目的とする。
【課題を解決するための手段】
【００１１】
本発明に係るアンテナ装置の放熱機構の一実施例は、電気的な作動時に所定の熱を生成する多数の通信素子と、一面に前記多数の通信素子が収容され、他面に多数の放熱リブが一体に形成され、上下の長さ方向に長く形成された放熱兼用ケースと、前記放熱兼用ケースの一面に前記多数の通信素子が実装されるアンテナボードとを含み、前記多数の放熱リブは、相対的に前記放熱兼用ケースの下部から放熱されて形成された上昇気流が相対的に上部で前記放熱兼用ケースの幅方向左右外側に上向きに傾斜して排気されるように形成されてもよい。
【００１２】
ここで、前記多数の放熱リブは、前記放熱兼用ケースの幅方向の一側と幅方向の他側とにそれぞれ空き空間が形成されるように、上下方向に所定の距離離隔されるように多段に配置された多数の押出放熱リブと、ダイキャスティング工法で製作され、前記多数の押出放熱リブの間の前記空き空間に結合され、真中を中心にそれぞれ前記放熱兼用ケースの幅方向左右外側に上向きに傾斜して配置された多数の傾斜リブとを有する多数のキャスティング放熱リブを含んでもよい。
【００１３】
また、前記多数の放熱リブのうち、前記多数の押出放熱リブは、前記放熱兼用ケースの幅方向に第１離隔距離を有するように離隔配置され、前記多数のキャスティング放熱リブは、それぞれの下段が前記多数の押出放熱リブの各先端に連結される第２離隔距離を有するように離隔配置されてもよい。
【００１４】
また、前記多数の放熱リブのうち、前記多数のキャスティング放熱リブは、それぞれの上段が前記放熱兼用ケースの幅方向の一端及び他端にマッチングされるように延長形成されてもよい。
【００１５】
また、前記多数のキャスティング放熱リブのうち少なくとも一つは、上部に配置された前記多数の押出放熱リブの各リブの下段を連結するように配置されてもよい。
【００１６】
また、前記多数の押出放熱リブの間に形成された前記空き空間は、三角形の形状に形成されてもよい。
【００１７】
また、前記多数のキャスティング放熱リブは、前記放熱兼用ケースの幅方向の一側に前記三角形の形状に形成された一側の空き空間に満たされる第１リブ群と、前記放熱兼用ケースの幅方向の他側に前記三角形の形状に形成された他側の空き空間に満たされる第２リブ群とを含み、前記第１リブ群と前記第２リブ群とは一体にダイキャスティング成形されてもよい。
【００１８】
また、前記多数の押出放熱リブの各リブが形成する下段の形状は、「Ｖ」字状に備えられ、前記多数のキャスティング放熱リブのうち最上段に配置された２つのリブは、前記多数の押出放熱リブの各下段を連結するように「Ｖ」字状に備えられてもよい。
【発明の効果】
【００１９】
本発明に係るアンテナ装置の放熱機構の一実施例によると、上下の長さ方向に長く形成された上下の長さ方向のスリム型ケースの放熱ばらつきを減らすことによって、より改善された放熱性能を実現することができる効果を有する。
【図面の簡単な説明】
【００２０】
【図１】従来技術に係るアンテナ装置の放熱機構の一例を示した背面図及び正面図である。
【図２】本発明に係るアンテナ装置の放熱機構の一実施例を示した斜視図である。
【図３】図２の分解斜視図である。
【図４】図２の背面図及びその一部の拡大図である。
【図５】本発明に係るアンテナ装置の放熱機構と放熱性能を比較するための比較実施例の斜視図及び一部の断面図である。
【図６】本発明に係るアンテナ装置の放熱機構の放熱性能を比較するための実験条件を示した表である。
【図７】本発明に係るアンテナ装置の放熱機構と従来技術及び比較実施例の放熱性能を比較するための比較データである。
【図８】本発明に係るアンテナ装置の放熱機構と従来技術及び比較実施例の熱抵抗値を比較するための熱分布図及びその結果テーブルである。
【発明を実施するための形態】
【００２１】
以下、本発明の一部の実施例を例示的な図面を通じて詳細に説明する。
【００２２】
各図面の構成要素に参照符号を付加するにおいて、同一な構成要素については、たとえ、他の図面上に表示されても可能な限り同一な符号を有するようにしていることに留意すべきである。また、本発明の実施例を説明するにおいて、関連する公知の構成または機能に対する具体的な説明が、本発明の実施例に対する理解を妨げると判断される場合には、その詳細な説明は省略する。
【００２３】
本発明の実施例の構成要素を説明するにおいて、第１、第２、Ａ、Ｂ、（ａ）、（ｂ）などの用語を使用することができる。このような用語は、その構成要素を他の構成要素と区別するためのものであって、その用語により、該当構成要素の本質や順番や順序などが限定されない。また、異にして定義されない限り、技術的または科学的な用語を含め、ここで使用されるすべての用語は、本発明の属する技術分野における通常の知識を有する者によって一般的に理解されるものと同一な意味を有する。一般的に使用される辞典に定義されているような用語は、関連技術の文脈上有する意味と一致する意味を有するものと解釈されるべきであり、本出願で明白に定義しない限り、理想的または過度に形式的な意味として解釈されない。
【００２４】
図２は、本発明に係るアンテナ装置の放熱機構の一実施例を示した斜視図であり、図３は、図２の分解斜視図であり、図４は、図２の背面図及びその一部の拡大図である。
【００２５】
本発明の一実施例に係るアンテナ装置の放熱機構（１）は、図２ないし図４に参照されているように、電気的な作動時に所定の熱を生成する多数の通信素子（１２）と、一面に前記多数の通信素子（１２）が収容され、他面に多数の放熱リブ（図３の図面符号３０及び４０を参照）が一体に形成された放熱兼用ケース（１０）及び前記放熱兼用ケース（１０）の一面に前記多数の通信素子（１２）をカバーするように結合されるアンテナボード（１７）を含む。
【００２６】
特に、本発明に係るアンテナ装置の放熱機構（１）の一実施例において、放熱兼用ケース（１０）は、多数の通信素子（１２）が上下方向に長く離隔配置され、相対的に幅の長さより上下高さの長さがより大きい上下の長さ方向のスリム型ケースに製作されてもよい。
【００２７】
併せて、多数の通信素子（１２）は、アンテナボード（１７）の外側面に実装配置された多数のアンテナ素子（未図示）とアンテナボード（１７）の内側面に実装配置された多数のＦＰＧＡ（１３）及びＲＦＩＣ（１４）とであってもよい。
【００２８】
多数の通信素子（１２）のうち、ＦＰＧＡ（１３）及びＲＦＩＣ（１４）は、電気的に作動されるときに所定の熱を生成する発熱素子であってもよい。
【００２９】
一方、アンテナボード（１７）は、放熱兼用ケース（１０）の内部空間に収容される多数の通信素子（１２）及び未図示のアンテナ素子が、内側面及び外側面に実装される回路基板の機能を行えることはもちろん、外部から内側面に実装されたアンテナ素子を保護するための機能を行うことができる。この場合、本発明に係るアンテナ装置の放熱機構（１）の一実施例は、アンテナボード（１７）の外側面を囲みながら、アンテナ素子を保護する未図示のレドームをさらに含んでもよい。
【００３０】
多数の放熱リブ（３０、４０）は、図２及び図３に参照されているように、放熱兼用ケース（１０）のボディプレート（１１）と一体に押出製作されるが、放熱兼用ケース（１０）の幅方向の一側と幅方向の他側とにそれぞれ空き空間（１５、１６）が形成されるように、上下方向に所定の距離離隔されるように多段に配置された多数の押出放熱リブ（３０）及びダイキャスティング製作され、多数の押出放熱リブ（３０）の間の前記空き空間（１５、１６）に結合され、真中を中心にそれぞれ放熱兼用ケース（１０）の幅方向左右外側に上向きに傾斜して配置された多数の傾斜リブを有する多数のキャスティング放熱リブ（４０）を含んでもよい。
【００３１】
より詳細には、多数の押出放熱リブ（３０）は、「発明の背景となる技術」の項目で記述した図１の放熱リブを押出成形方式で製作するが、前記放熱兼用ケース（１０）の幅方向の一側と幅方向の他側とにそれぞれ多数の空き空間（１５、１６）が形成されるように、放熱兼用ケース（１０）の長さ方向（つまり、上下方向）に長く形成される。
【００３２】
ここで、多数の押出放熱リブ（３０）は、前記空き空間（１５、１６）によって上下方向に連続されず、上下方向に多数個が多段に配置されてもよい。
【００３３】
また、前記空き空間（１５、１６）は、それぞれ放熱兼用ケース（１０）の一側に形成される一側の空き空間（１５）及び放熱兼用ケース（１０）の他側に形成される他側の空き空間（１６）に定義され得る。
【００３４】
一側の空き空間（１５）と他側の空き空間（１６）とは、略直角三角形の形状に形成され、直角をなす部位が相互連結された形状に形成されてもよい。
【００３５】
このような一側の空き空間（１５）及び他側の空き空間（１６）には、多数の押出放熱リブ（３０）とは別にダイキャスティング成形方式で製造された前記多数のキャスティング放熱リブ（４０）が満たされるように結合されてもよい。
【００３６】
多数のキャスティング放熱リブ（４０）は、多数の押出放熱リブ（３０）が放熱兼用ケース（１０）の骨格をなすボディプレート（１１）と一体的に押出成形される方式で製作されるのに対し、ボディプレート（１１）とは別にダイキャスティング成形方式で製作され、前記空き空間（１５、１６）に結合されてもよい。
【００３７】
より詳細には、多数のキャスティング放熱リブ（４０）は、図３及び図４に参照されているように、放熱兼用ケース（１０）の幅方向の一側に三角形の形状に形成された一側の空き空間（１５）に満たされる第１リブ群（４１）及び放熱兼用ケース（１０）の幅方向の他側に三角形の形状に形成された他側の空き空間（１６）に満たされる第２リブ群（４２）を含んでもよい。
【００３８】
ここで、第１リブ群（４１）と前記第２のリブ群（４２）とは、一体にダイキャスティング成形されるのが好ましい。しかし、必ずしも第１リブ群（４１）と第２のリブ群（４２）とが一体に形成される必要はなく、別々に製作され、それぞれ一側の空き空間（１５）及び他側の空き空間（１６）に一般的な結合方式を通じて結合されてもよい。本発明の一実施例に係るアンテナ装置の放熱機構（１）では、多数のキャスティング放熱リブ（４０）が、第１リブ群（４１）及び第２リブ群（４２）が一体に形成されることを前提して説明することにする。
【００３９】
一方、多数の放熱リブ（３０、４０）のうち多数の押出放熱リブ（３０）は、図４に参照されているように、放熱兼用ケース（１０）の幅方向に第１離隔距離（Ｌ１）を有するように離隔配置され、多数のキャスティング放熱リブ（４０）は、それぞれの下段が多数の押出放熱リブ（３０）の各先端に連結される第２離隔距離（Ｌ２）を有するように離隔配置されてもよい。
【００４０】
理論的には、多数のキャスティング放熱リブ（４０）の各下段が多数の押出放熱リブ（３０）の各先端に連結されるので、第１離隔距離（Ｌ１）と第２離隔距離（Ｌ２）とは相互に同一なはずであるが、必ず第１離隔距離（Ｌ１）及び第２離隔距離（Ｌ２）が同一でなければならないものではない。
【００４１】
多数の放熱リブ（３０、４０）のうち多数のキャスティング放熱リブ（４０）は、それぞれの上段が前記放熱兼用ケース（１０）の幅方向の端部を形成するように延長形成されてもよい。
【００４２】
つまり、多数のキャスティング放熱リブ（４０）の第１リブ群（４１）は、図面上、放熱兼用ケース（１０）の左側の幅方向に形成された一側の空き空間（１５）に満たされるように配置される場合、第１リブ群（４１）の上段は、放熱兼用ケース（１０）の左側端にマッチングされる長さを有するように形成されるが、上向きに傾斜して形成されてもよい。
【００４３】
併せて、多数のキャスティング放熱リブ（４０）の第２リブ群（４２）は、図面上、放熱兼用ケース（１０）の右側の幅方向に形成された他側の空き空間（１６）に満たされるように配置される場合、第２のリブ群（４２）の上段は、放熱兼用ケース（１０）の右側端にマッチングされる長さを有するように形成されるが、上向きに傾斜して形成されてもよい。
【００４４】
一方、多数のキャスティング放熱リブ（４０）のうち少なくとも一つ（４２ａ、４２ｂ）は、上部に配置された多数の押出放熱リブ（３０）の各リブの下段を連結するように配置されてもよい。反対に解釈すれば、多数の押出放熱リブ（３０）の下段は、多数のキャスティング放熱リブ（４０）のうち少なくとも一つに接する形状に形成されてもよい。
【００４５】
ここで、図面に図示されていないが、多数の通信素子（１２）が備えられたボディプレート（１１）の一側面には、それぞれの通信素子（１２）と直接接触される多数の接触突起が備えられてもよい。多数の接触突起は、発熱素子からなる多数の通信素子（１２）のそれぞれから生成された熱を放熱兼用ケース（１０）を通じて外側の多数の押出放熱リブ（３０）への熱伝達を媒介する構成として理解されてよい。
【００４６】
したがって、多数の接触突起を通じて発熱される多数の通信素子（１２）のそれぞれからの熱の伝達を受け、ボディプレート（１１）の外側面に一体に形成された多数の押出放熱リブ（３０）に伝達して放熱することができる。つまり、放熱構造の設計時に、多数の押出放熱リブ（３０）は、その対向面に配置された多数の通信素子（１２）に対応するように多段に配置設計されるのが好ましい。
【００４７】
放熱兼用ケース（１０）の多数の押出放熱リブ（３０）は、多数の通信素子（１２）からの熱の伝達を受け、放熱するようになり、放熱された熱によって所定の上昇気流を形成することになる。このような上昇気流は、相対的に上部に位置するキャスティング放熱リブ（４０）によって、その上部に位置する多数の押出放熱リブ（３０）側に伝達されなくなる。これは、前述のように、前記多数のキャスティング放熱リブ（４０）のうち少なくとも一つ（４２ａ、４２ｂ）によって上昇気流が放熱兼用ケース（１０）の幅方向の外側に排気されるためである。したがって、相対的に放熱兼用ケース（１０）の下側で放熱されて形成された上昇気流が相対的にその上部に備えられた多数の押出放熱リブ（３０）に影響を及ぼさない。
【００４８】
ここで、多数の押出放熱リブ（３０）の各リブの下段を連結するラインの形状は、「Ｖ」字状であってもよいし、多数のキャスティング放熱リブ（４０）のうち最上段に配置された２つのリブも、多数の押出放熱リブ（３０）の各下段を連結するように「Ｖ」字状に備えられてもよい。
【００４９】
このような構成からなる本発明の一実施例に係るアンテナ装置の放熱機構（１）は、図４に参照されているように、多数の通信素子（１２）（例えば、最も発熱量の多いＦＰＧＡ（１３））のそれぞれに接触されるように備えられた接触突起を通じて熱を多数の押出放熱リブ（３０）に伝達し、多数の押出放熱リブ（３０）は、多数の通信素子（１２）から伝達された熱を外気と熱交換する方式で放熱する。
【００５０】
多数の押出放熱リブ（３０）を通じて放出された熱は、自然対流状態の上昇気流を形成しつつ、多数の押出放熱リブ（３０）のそれぞれの間に備えられた空気流路を通して上昇し、多数のキャスティング放熱リブ（４０）のそれぞれの間を通して放熱兼用ケース（１０）の幅方向の一側または他側に排気されてもよい。
【００５１】
従って、本発明に係るアンテナ装置の放熱機構（１）の一実施例は、各通信素子（１２）から発生する熱を多数の押出放熱リブ（３０）を通じて外部に放熱するにおいて、上下の長さ方向スリム型ケースの形態で製作された放熱兼用ケース（１０）の上下高さによる放熱ばらつきを解消することができる。
【００５２】
本発明の出願人は、本発明に係るアンテナ装置の放熱機構（１）の一実施例が最適の放熱性能を有することを確認するために、その比較実施例として、図５に参照されているように、比較実施例を設計した。
【００５３】
図５は、本発明に係るアンテナ装置の放熱機構（１）と放熱性能を比較するための比較実施例の斜視図及び一部の断面図であり、図６は、本発明に係るアンテナ装置の放熱機構（１）の放熱性能を比較するための実験条件を示した表であり、図７は、本発明に係るアンテナ装置の放熱機構（１）と従来技術及び比較実施例の放熱性能を比較するための比較データであり、図８は、本発明に係るアンテナ装置の放熱機構（１）と従来技術及び比較実施例の熱抵抗値を比較するための熱分布図及びその結果テーブルである。
【００５４】
以下では、既に「発明の背景となる技術」の項目で説明した従来技術に係るアンテナ装置の放熱機構（１）の一例を「Ｍｏｄｅｌ  １」と指し、本発明に係るアンテナ装置の放熱機構（１）の一実施例を「Ｍｏｄｅｌ  ２」と指し、さらに、図５を参照して説明する比較実施例を「Ｍｏｄｅｌ  ３」と指して説明することにする。
【００５５】
Ｍｏｄｅｌ  ２で実現される比較実施例は、図５に参照されているように、放熱兼用ケース（１０）の上下長さ方向に長く形成され、上下に多段に離隔配置された多数の押出放熱リブ（３０）と、多数の押出放熱リブ（３０）の離隔空間に配置され、下段部から形成された上昇気流を放熱兼用ケース（１０）の背面側に排気するように配置されたエアバッフル（５０）を含んでもよい。
【００５６】
多数の押出放熱リブ（３０）の製作方式は、本発明の一実施例で実現されるＭｏｄｅｌ  ２の方式に従うが、Ｍｏｄｅｌ  ３は上昇気流を放熱兼用ケース（１０）の幅方向の外側ではなく、放熱兼用ケース（１０）の背面側に排気するエアバッフル（５０）を備える点で相違がある。
【００５７】
ここで、エアバッフル（５０）は、押出成形方式で製造された多数の押出放熱リブ（３０）の各離隔空間にダイキャスティング成形方式で製造されたエアバッフル（５０）が満たされるように結合されてもよい。
【００５８】
つまり、多数の押出放熱リブ（３０）は、放熱兼用ケース（１０）の骨格をなすボディプレート（１１）と一体的に押出成形される方式で製作されるのに対し、エアバッフル（５０）は、ボディプレート（１１）とは別にダイキャスティング成形方式で製作され、前記離隔空間に結合されてもよい。
【００５９】
エアバッフル（５０）は、多数の押出放熱リブ（３０）の各下段を遮蔽するように放熱兼用ケース（１０）の背面側に上向きに傾斜して配置された傾斜排気プレート（５１）と、下側に配置された多数の押出放熱リブ（３０）の上段に連結され、上昇気流を傾斜排気プレート（５１）に誘導する多数の誘導放熱リブ（５２）を含んでもよい。
【００６０】
したがって、Ｍｏｄｅｌ  ３で実現される比較実施例の場合、図５に参照されているように、多数の押出放熱リブ（３０）を通じて放熱されることによって形成された上昇気流は、多数の押出放熱リブ（３０）のそれぞれの間の空気流路を通して上昇しつつ、エアバッフル（５０）の多数の誘導放熱リブ（５２）を通じて上昇した後、傾斜排気プレート（５１）を通じて放熱兼用ケース（１０）の背面側に排気される。
【００６１】
しかし、Ｍｏｄｅｌ  ３の傾斜排気プレート（５１）を通じて放熱兼用ケース（１０）の背面側に排気された上昇気流は、自然対流状態によって異なるが、さらに上昇しつつ、再びその上部に位置された多数の押出放熱リブ（３０）に流入する恐れがある。
【００６２】
本発明の出願人は、前述のようなＭｏｄｅｌ  １、Ｍｏｄｅｌ  ２及びＭｏｄｅｌ  ３で実現されるアンテナ装置の放熱機構（１）の各放熱性能を確認するために、図６のような実験条件下で実験した後、図７及び図８のような結果を確認した。
【００６３】
図７を参照すると、発熱素子のいずれかであるＦＰＧＡ（１３）が７カ所備えられ、下段から上段まで１〜７番という数字を付与し、各支点に対する温度を測定した結果であって、Ｍｏｄｅｌ  １は、下段である１番と上部である７番との間の温度ばらつきが６度近く生じるのに対し、Ｍｏｄｅｌ  ２は１．８度の温度ばらつきが生じることを確認できた。
【００６４】
また、Ｍｏｄｅｌ  ３の場合、３．３度の温度ばらつきが生じることから、最適の放熱設計案ではないことが分かった。これは、先に説明したように、Ｍｏｄｅｌ  ３は放熱兼用ケース（１０）の背面側に排気された上昇気流は、自然対流状態によって異なるが、さらに上昇しつつ、再びその上部に位置された多数の押出放熱リブ（３０）に流入するためであると解釈される。
【００６５】
併せて、図８を参照すると、ＦＰＧＡ（１３）が備えられた部位の各熱抵抗値も、Ｍｏｄｅｌ  ２で最も好ましい結果値が得られたことが分かる。ＦＰＧＡ（１３）が備えられた各支点での多少熱抵抗ばらつきが生じることを確認できるが、同時に、全体的な熱抵抗の平均値の面では、Ｍｏｄｅｌ  ２で最も低い値が得られた。ちなみに、Ｍｏｄｅｌ  １ないしＭｏｄｅｌ  ３から合理的な熱抵抗値を得るために、図８に参照されているように、多数の放熱リブのうち多数の押出放熱リブ（３０）の先端から２０ｍｍの地点を共通に測定した。
【００６６】
以上、本発明に係るアンテナ装置の放熱機構の一実施例を添付された図面を参照して詳細に説明した。しかし、本発明の実施例が必ず前述した一実施例によって限定されるものではなく、本発明の属する技術分野における通常の知識を有する者による様々な変形及び均等な範囲での実施が可能であることは当然であると言える。したがって、本発明の真の権利範囲は、後述する特許請求の範囲によって決定されると言える。
【産業上の利用可能性】
【００６７】
本発明は、上下の長さ方向のスリム型ケースボディを備えたアンテナ装置において、上下の放熱ばらつきを最小化してアンテナの性能を向上させることができるアンテナ装置の放熱機構を提供する。
【符号の説明】
【００６８】
１  放熱機構
１０  放熱兼用ケース
１１  ボディプレート
１２  通信素子
１３  ＦＰＧＡ
１４  ＲＦＩＣ
２０  多数の放熱リブ
３０  多数の押出放熱リブ
４０  多数のキャスティング放熱リブ
５０  エアバッフル
５１  傾斜プレート
５２  誘導リブ
【図１】
2021525046.tif 000003
【図２】
2021525046.tif 000004
【図３】
2021525046.tif 000005
【図４】
2021525046.tif 000006
【図５】
2021525046.tif 000007
【図６】
2021525046.tif 000008
【図７】
2021525046.tif 000009
【図８】
2021525046.tif 000010
【国際調査報告】
2021525046.tif 000011
2021525046.tif 000012
2021525046.tif 000013
2021525046.tif 000014